(57)【要約】      （修正有）【課題】複数の表示部を連結するための連結部材が示面の視認性を阻害する問題を改善する表示装置を提供する。【解決手段】複数の表示部を配設する複数のパネルと、パネルを連結するための線状もしくは板状の連結部材とを有し、表示部が表示面（Ａ面）と、Ａ面の裏面に位置しパネルと対向する対向面（Ｂ面）を有し、パネルが表示部と対向する対向面（Ｃ面）とＣ面の裏面に位置し表示部と対向しない非対向面（Ｄ面）を有し、複数のパネルがそれぞれ略同一平面上に位置し、表示部を配設する第ｐのパネルと表示部を配設する第ｑのパネルとがそれぞれ隣り合う状態において、連結部材は第ｐの表示部のＢ面と第ｐのパネルのＣ面との間から該第ｐのパネルおよび第ｑのパネルの間、該第ｑのパネルのＤ面上の順に通り、第ｑの表示部のＢ面と第ｑのパネルのＣ面との間から該第ｐのパネルおよび第ｑのパネルの間、該第ｐのパネルのＤ面上の順に通るように構成される。【選択図】図１
2017156368.tif 000002
【特許請求の範囲】
【請求項１】
１ないしＮ（Ｎは２以上の整数）の表示部と、
前記１ないしＮの表示部を配設する、前記表示部の表示制御回路、電池、補強板のうちの少なくとも一つを含む１ないしＮのパネルと、
前記パネルを連結するための線状もしくは板状の連結部材と、
を有し、
前記表示部が、表示面（Ａ面）と、前記Ａ面の裏面に位置し前記パネルと対向する対向面（Ｂ面）を有し、
前記パネルが、前記表示部と対向する対向面（Ｃ面）と前記Ｃ面の裏面に位置し前記表示部と対向しない非対向面（Ｄ面）を有し、
複数の前記パネルがそれぞれ同一平面上に位置し、前記表示部を配設する第ｐの前記パネルと前記表示部を配設する第ｑの前記パネルとがそれぞれ隣り合う状態において、
前記連結部材は、
前記第ｐの表示部のＢ面と前記第ｐのパネルのＣ面との間から該第ｐのパネルおよび前記第ｑのパネルの間、該第ｑのパネルのＤ面上、の順に通り、
前記第ｑの表示部のＢ面と前記第ｑのパネルのＣ面との間から該第ｐのパネルおよび前記第ｑのパネルの間、該第ｐのパネルのＤ面上、の順に通るように構成されることを特徴とするディスプレイ装置。
【請求項２】
前記パネルが四辺形であり、
前記連結部材が前記パネルの短辺方向もしくは長辺方向と平行であることを特徴とする請求項１に記載のディスプレイ装置。
【請求項３】
前記パネルが互いに平行でない辺１と辺２を備えた四辺形であり、
複数の前記表示部を配設するパネルがそれぞれ同一平面上で辺２に対して鏡面対称に配置され、前記第ｐの表示部を配設するパネルと前記第ｑの表示部を配設する前記パネルがそれぞれ隣り合う状態において、
前記連結部材は、
前記第ｐのパネルにおいて辺１、Ｄ面、辺２の順に通るように構成され、かつ前記第ｑのパネルにおいて辺１、Ｄ面、辺２の順に通るように構成されることを特徴とする請求項１に記載のディスプレイ装置。
【請求項４】
前記連結部材は両端が接続された閉ループ状の部材であり、
Ｎ−１個の交差点で交差することによって１からＮ個（Ｎは２以上の整数）ループ部を形成し、
前記交差点が複数の前記パネルのうち隣り合う２つの前記パネルの間の空間に存在することを特徴とする請求項１乃至請求項３の何れか一項に記載のディスプレイ装置。
【請求項５】
前記連結部材は両端が接続されていない非ループ状の複数の部材であり、
複数の前記パネルがそれぞれ同一平面上に位置し、前記第ｐの表示部を配設するパネルと前記第ｑの表示部を配設するパネルとがそれぞれ隣り合う状態において、
前記複数の連結部材のうち、第ｍの連結部材と第ｎの連結部材が交差しており、
前記第ｍおよび第ｎそれぞれの連結部材の一端は前記第ｐのパネル上に固定され、
前記第ｍおよび第ｎそれぞれの連結部材のもう一端は前記第ｑのパネル上に固定されることを特徴とする請求項１乃至請求項３の何れか一項に記載のディスプレイ装置。
【請求項６】
前記表示部の厚さが前記パネルの厚さよりも薄いことを特徴とする請求項１乃至請求項５の何れか一項に記載のディスプレイ装置。
【発明の詳細な説明】
【技術分野】
【０００１】
本発明は、複数の表示部を有するディスプレイ装置、特に複数の表示部を折り畳み可能なディスプレイ装置に関する。
【背景技術】
【０００２】
大画面化と携帯性を両立するために、折り畳み可能な複数の表示部を備えたディスプレイ装置がある。特許文献１には、表示部を備え折り畳み可能な４つの筐体を矩形状に配列可能に連結することで、表示部に表示された各画像を一つの画像として表示できるディスプレイ装置が開示されている。このディスプレイ装置では、可撓性の連結部材を用いてヒンジを構成することによって２つの筐体を山折りおよび谷折りのいずれも可能としている。
【先行技術文献】
【特許文献】
【０００３】
【特許文献１】特開２０１０−２６６７５２号公報
【発明の概要】
【発明が解決しようとする課題】
【０００４】
ディスプレイ装置において複数の表示部を山折りおよび谷折りいずれも可能とすることによって、大画面化と携帯性を両立しながら様々な使用目的に対応することができる。例えば、使用状況に応じて操作者がディスプレイ装置を任意の角度にすることや、複数のディスプレイ装置の表示面が外側になるように折り畳み、ディスプレイ装置の両面に表示することができる。しかし、特許文献１で開示されているディスプレイ装置は、可撓性の連結部材がディスプレイ装置の表示面上を通過する構成となっており、表示面の視認性を阻害するという問題があった。
【０００５】
そこで、本発明は、複数の状態に折り畳み可能でありながら、視認性を向上できるディスプレイ装置を提供することを目的とする。
【課題を解決するための手段】
【０００６】
上記の目的を達成するために、本発明に係るディスプレイ装置は、
１ないしＮ（Ｎは２以上の整数）の表示部と、１ないしＮの表示部を配設する、表示部の表示制御回路、電池、補強板のうちの少なくとも一つを含む１ないしＮのパネルと、パネルを連結するための線状もしくは板状の連結部材とを有し、表示部が表示面（Ａ面）と、Ａ面の裏面に位置しパネルと対向する対向面（Ｂ面）を有し、パネルが表示部と対向する対向面（Ｃ面）とＣ面の裏面に位置し表示部と対向しない非対向面（Ｄ面）を有し、複数のパネルがそれぞれ略同一平面上に位置し、表示部を配設する第ｐのパネルと表示部を配設する第ｑのパネルとがそれぞれ隣り合う状態において、連結部材は第ｐの表示部のＢ面と第ｐのパネルのＣ面との間から該第ｐのパネルおよび第ｑのパネルの間、該第ｑのパネルのＤ面上の順に通り、第ｑの表示部のＢ面と第ｑのパネルのＣ面との間から該第ｐのパネルおよび第ｑのパネルの間、該第ｐのパネルのＤ面上の順に通るように構成されることを特徴とする。
【発明の効果】
【０００７】
本発明によれば、複数の状態に折り畳み可能でありながら、視認性を向上できるディスプレイ装置を提供することができる。
【図面の簡単な説明】
【０００８】
【図１】第１の実施例におけるディスプレイ装置１００の分解斜視図および分解下面図
【図２】第１の実施例における展開状態のディスプレイ装置１００の３面図
【図３】展開状態から両面状態にする際の折り畳み動作を示す断面図
【図４】展開状態から収納状態にする際の折り畳み動作を示す断面図
【図５】第１の実施例における各状態のディスプレイ装置１００を示す斜視図
【図６】第１の実施例における変形例のディスプレイ装置１１０の３面図
【図７】第１の実施例における変形例の撮像装置１２０の３面図
【図８】第１の実施例における変形例のディスプレイ装置１３０の正面図
【図９】第２の実施例におけるディスプレイ装置２００の分解斜視図および分解下面図
【図１０】第２の実施例における展開状態のディスプレイ装置２００の３面図
【図１１】第２の実施例における各状態のディスプレイ装置２００を示す断面図
【図１２】第３の実施例における展開状態Ａのディスプレイ装置３００の３面図
【図１３】第３の実施例における第１、第２のパネルと連結部材の構成を示す４面図
【図１４】第３の実施例におけるディスプレイ装置１００の分解下面図の拡大図
【図１５】展開状態Ａから両面状態にする際の折り畳み動作を示す下面拡大図
【図１６】第３の実施例における各状態のディスプレイ装置３００を示す正面図
【発明を実施するための形態】
【０００９】
以下、本発明を実施するための形態を図面に基づいて説明する。
【００１０】
［実施例１］
図１〜図８は本発明の第１の実施例におけるディスプレイ装置１００について説明する図である。
【００１１】
以下、ディスプレイ装置１００の構成について説明する。
【００１２】
図１はディスプレイ装置１００の分解斜視図および分解下面図であり、図１（ａ）、（ｂ）はそれぞれディスプレイ装置１００の分解斜視図、分解下面図を示す。図２は展開状態のディスプレイ装置１００の三面図であり、図２（ａ）、（ｂ）、（ｃ）はそれぞれディスプレイ装置１００の正面図、Ａ−Ａ断面図、背面図である。なお、図１は説明をわかりやすくするため、便宜上表示部とパネルが離間して図示されているが、実際は密着して配設されている。
【００１３】
１０１は平板状で略四辺形の第１の表示部である。第１の表示部１０１の一方の面は、液晶または有機ＥＬからなり、後述の第１のパネル１０３に含まれる表示制御回路によって各種の情報を表示可能である略四辺形の表示部が設けられた第１の表示面（Ａ面）１０１ａである。第１の表示面のＡ面１０１ａの裏面は、後述の第１のパネル１０３と対向する第１の対向面（Ｂ面）１０１ｂである。
【００１４】
１０３は平板状で略四辺形の第１のパネルである。第１のパネルは第１の表示部を配設する部材であり、前記表示部の表示制御回路、電池、補強板等を含んでいる。第１のパネルの一方の面は、第１の表示部１０１と対向する対向面（Ｃ面）１０３ａである。第１のパネルのＣ面１０３ａの裏面は、第１の表示部と対向しない非対向面（Ｄ面）１０３ｂである。第１のパネル１０３上には、後述の連結部材１０５を案内するための溝部１０３ｃが形成されている。
【００１５】
溝部１０３ｃは第１のパネル１０３の長辺方向と平行な直線溝形状であって、第１のパネルのＣ面１０３ａ、第１のＤ面１０３ｂ、第１のパネル１０３の短辺側側面を通る連続した一連の溝部である。溝部１０３ｃは断面が有底のＶ字状になっており、後述する連結部材１０５がＶ字の溝部１０３ｃに落ち込むように配置され案内される。なお、説明のため後述の連結部材１０５が溝部１０３ｃの底部分から離れた状態で図示されているが、実際には後述の連結部材１０５の張力によって溝部１０３ｃの底部分にならうように配置される。
【００１６】
１０２、１０４はそれぞれ第２の表示部、第２のパネルであり、第１の表示部１０１、第１のパネル１０３とそれぞれ同様の構成となっている。１０５は第１のパネル１０３と第２のパネル１０４を連結するための可撓性の連結部材である。連結部材１０５は、合成繊維や金属からなる線状のワイヤであり、線方向に弾性を有し、曲げに対して柔軟性を有する。
【００１７】
連結部材１０５は両端が接続された閉ループ状の１つの部材であって、１個の交差点で交差することによって第１のループ部１０５ａおよび第２のループ部１０５ｂを形成し、８の字状のループ部を形成する。交差点は第１および第２のパネルの間の空間に存在する。第１および第２のパネルがそれぞれ略同一平面上に位置し、第１の表示部１０１を配設する第１のパネル１０３と第２の表示部１０２を配設する第２のパネル１０４とがそれぞれ長辺方向に並んで隣り合う図1のような状態において、連結部材１０５がどのように配置されるかを説明する。
【００１８】
連結部材１０５は、第１の表示部のＢ面１０１ｂと第１のパネルのＣ面１０３ａの間（図中領域１−１）から第１および第２のパネル１０３、１０４の間（図中領域２）、第２のパネルのＤ面１０４ｂ上（図中領域３−２）、の順に通り、第２の表示部のＢ面１０２ｂと第２のパネルのＣ面１０４ａの間（図中領域１−２）から第１および第２のパネル１０３、１０４の間（図中領域２）、第１のパネルのＤ面１０３ｂ上（図中領域３−１）、の順に通るように構成されている。
【００１９】
すなわち、連結部材１０５によって形成される８の字状のループ部のうち、第１のループ部１０５ａによってパネル１０３が、第２のループ部１０５ｂによってパネル１０４が囲まれるように連結部材１０５が配置される。また、各表示部１０１、１０２はいずれも連結部材１０５によって形成されるループ部に囲まれないように連結部材１０５が配置される。また、連結部材１０５は第１および第２のパネル１０３、１０４と略平行である。
【００２０】
ディスプレイ装置１００の折り畳み動作および展開動作について説明する。
【００２１】
図３は展開状態から両面状態にする際のディスプレイ装置１００の折り畳み動作を示す断面図である。図３（ａ）はディスプレイ装置１００の展開状態を示す図である。
【００２２】
第１の表示部１０１と第２の表示部１０２、第１のパネル１０３と第２のパネル１０４はそれぞれ略同一平面上にある。可撓性の連結部材１０５の張力によって第１のパネル１０３の短辺側側面部と、第２のパネル１０４の短辺側側面部とが引き付け合う方向に力が働くため、展開状態で安定している。
【００２３】
このとき、前述の通り、連結部材１０５によって形成される８の字状のループ部のうち、第１のループ部１０５ａによってパネル１０３が、第２のループ部１０５ｂによってパネル１０４が囲まれており、第１および第２の表示部１０１、１０２はいずれも連結部材１０５によって形成されるループ部に囲まれていない。
【００２４】
図３（ｂ）は展開状態から第２の表示部１０２および第２のパネル１０４を図中矢印Ｂ方向に９０度だけ回転させた状態を示す図である。
【００２５】
展開状態とは連結部材１０５を支持する箇所が変わり、連結部材１０５が第１のＤ面１０３ｂ、第２のパネルのＤ面１０４ｂから離れている。展開動作によって連結部材１０５が伸びているため、展開状態よりも大きな張力が発生している。
【００２６】
図３（ｃ）は展開状態から第２の表示部１０２および第２のパネル１０４を図中矢印Ｂ方向に１８０度だけ回転させた状態であり、第１の表示部のＡ面１０１ａおよび第２の表示部のＡ面１０２ａの両者が互いに外側に逆方向に面する両面状態を示す図である。可撓性の連結部材１０５の張力によって第１のパネル１０３のＤ面１０３ｂと、第２のパネル１０４のＤ面１０４ｂとが引き付け合う方向に力が働くため、両面状態で安定している。
【００２７】
以上、ディスプレイ装置１００を展開状態から両面状態にする際の折り畳み動作について説明した。両面状態から展開状態にする際の展開動作については、上記折り畳み動作を逆順に行うことで可能となる。なお、説明のため後述の連結部材１０５が溝部１０３ｃの底部分から離れた状態で図示されているが、実際には連結部材１０５の張力によって溝部１０３ｃの底部分にならうように配置される。
【００２８】
図３（ａ）、（ｂ）、（ｃ）のそれぞれの状態において連結部材１０５に発生する張力をそれぞれＴａ、Ｔｂ、Ｔｃとする。上記３つの状態の中で、連結部材１０５の長さは図３（ｂ）の９０度だけ回転させた状態のときに最も長くなるため、張力Ｔａ、Ｔｂ、Ｔｃの間には、以下の関係が成り立つ。
【００２９】
Ｔａ＜Ｔｂ、Ｔｂ＞Ｔｃ    式（１）
このため、ディスプレイ装置１００は張力の小さい図３（ａ）、（ｃ）の状態で安定する。また、折り畳み・展開動作において張力の大きい図３（ｂ）の状態を経由するため、折り畳み・展開動作にはある所定の力が必要となる。ただし、３つの状態において連結部材１０５に発生する張力は、第１のパネル１０３および第２のパネル１０４、溝部１０３ｃ、１０４ｃそれぞれの形状によって決定する。このため、第１のパネル１０３および第２のパネル１０４、溝部１０３ｃ、１０４ｃそれぞれの形状によっては上記の限りではない。
【００３０】
図４は展開状態から収納状態にする際のディスプレイ装置１００の折り畳み動作を示す断面図である。
【００３１】
図４（ａ）はディスプレイ装置１００の展開状態であり、図３（ａ）と同一の状態のため、説明は省略する。
【００３２】
図４（ｂ）は展開状態から第２の表示部１０２および第２のパネル１０４を図中矢印Ｃ方向に９０度だけ回転させた状態を示す図である。展開動作によって連結部材１０５が伸びているため、展開状態よりも大きな張力が発生している。
【００３３】
図４（ｃ）は展開状態から第２の表示部１０２および第２のパネル１０４を図中矢印Ｃ方向に１８０度だけ回転させた状態であり、第１の表示部のＡ面１０１ａおよび第２の表示部のＡ面１０２ａの両者が内側に対向した収納状態を示す図である。
【００３４】
以上、ディスプレイ装置１００を展開状態から収納状態にする際の折り畳み動作について説明した。
【００３５】
収納状態から展開状態にする際の展開動作については、上記折り畳み動作を逆順に行うことで可能となる。なお、説明のため連結部材１０５が溝部１０３ｃの底部分から離れた状態で図示されているが、実際には連結部材１０５の張力によって溝部１０３ｃの底部分、第１の表示部１０１および第２の表示部１０２それぞれの側面部にならうように配置される。
【００３６】
図４（ａ）、（ｂ）、（ｃ）のそれぞれの状態において連結部材１０５に発生する張力をそれぞれＴａ’、Ｔｂ’、Ｔｃ’とする。上記３つの状態の中で、連結部材１０５の長さは図４（ｃ）の収納状態のときに最も長くなり、図４（ａ）の展開状態のときに最も短くなるため、張力Ｔａ’、Ｔｂ’、Ｔｃ’の間には、以下の関係が成り立つ。
【００３７】
Ｔａ’＜Ｔｂ’＜Ｔｃ’     式（２）
このため、ディスプレイ装置１００は張力の最も小さい図4（ａ）の状態で安定する。第１の表示部１０１および第２の表示部１０２の厚さが厚いとき、張力Ｔｂ’と張力Ｔｃ’の差が大きいため、収納状態で安定せず折り畳み動作が困難となる。ただし、第１の表示部１０１および第２の表示部１０２それぞれの厚さが第１のパネル１０３および第２のパネル１０４それぞれの厚さと比較して十分に薄いとき、張力Ｔｂ’と張力Ｔｃ’の差が小さいため、容易に折り畳み動作が可能である。
【００３８】
また、３つの状態において連結部材１０５に発生する張力は、第１の表示部１０１、第２の表示部１０２、第１のパネル１０３、第２のパネル１０４、溝部１０３ｃ、１０４ｃそれぞれの形状によって決定する。このため、第１の表示部１０１、第２の表示部１０２、第１のパネル１０３、第２のパネル１０４、溝部１０３ｃ、１０４ｃそれぞれの形状によっては上記の限りではない。
【００３９】
以上、ディスプレイ装置１００の折り畳み動作および展開動作について説明した。
【００４０】
以上説明したように、本実施例では第１の表示部１０１と第２の表示部１０２、第１のパネル１０３と第２のパネル１０４のそれぞれが略同一平面上にある展開状態と、第１の表示部のＡ面１０１ａおよび第２の表示部のＡ面１０２ａの両者が互いに外側に逆方向に面する両面状態と、第１の表示部のＡ面１０１ａおよび第２の表示部のＡ面１０２ａが内側に対向する収納状態との間を自在に変形することが可能である。また、それぞれの状態において連結部材は第１の表示部のＡ面１０１ａおよび第２の表示部のＡ面１０２ａの上を通過しないため、表示面の視認性を阻害することはない。
【００４１】
ディスプレイ装置１００の効果について説明する。図５は本実施例におけるディスプレイ装置１００を示す斜視図で、図５（ａ）、（ｂ）、（ｃ）はそれぞれ展開状態、両面状態、収納状態を示す図である。
【００４２】
図５（ａ）に示す展開状態を示す図では、第１の表示部のＡ面１０１ａと第２の表示部のＡ面１０２ａは展開状態において略同一平面上にある。第１のパネル１０３および第２のパネル１０４に含まれる表示制御回路によって、各表示面（Ａ面）に独立した２つの画像を表示することも、２つの表示面を連続した同一の表示面（連続表示面）として１つの画像を表示することも可能である。連続表示面とした場合には、両面状態と比較して表示サイズが大きいため情報および画像を拡大して表示することができる。
【００４３】
図５（ｂ）に示す両面状態を示す図では、第１の表示部のＡ面１０１ａもしくは第２の表示部のＡ面１０２ａがディスプレイ装置１００の両面に配置されるため、ディスプレイ装置１００のどちらの面においても各種情報を表示することが可能である。また、両面状態では展開状態と比較してディスプレイ装置１００の外形サイズが小さくすることができ、携帯性が向上する。
【００４４】
図５（ｃ）に示す収納状態では、第１の表示部のＡ面１０１ａおよび第２の表示部のＡ面１０２ａがディスプレイ装置１００の内面で保護され、外部の異物による破損を防止できるので、表示が必要ないときの携帯性が向上する。
【００４５】
本実施例では、ディスプレイ装置１００を使用者が様々な使用目的に対応した複数の状態に折り畳み可能である。
【００４６】
図３および図４のディスプレイ装置１００の折り畳み動作を示す断面図を用いてディスプレイ装置１００の各表示部１０１、１０２、各パネル１０３、１０４、連結部材１０５の位置関係について説明する。
【００４７】
図３（ａ）および図４（ａ）のディスプレイ装置１００の展開状態を示す図において、前述の通り、連結部材１０５によって形成される８の字状のループ部のうち、第１のループ部１０５ａによってパネル１０３が、第２のループ部１０５ｂによってパネル１０４が囲まれている。その結果、第１および第２の表示部１０１、１０２はいずれも連結部材１０５によって形成されるループ部に囲まれていない。
【００４８】
展開状態以外の、展開動作および折り畳み動作におけるいずれの状態においてもパネル１０３、１０４が連結部材１０５に囲まれ、表示部１０１、１０２が連結部材１０５に囲まれないという位置関係は常に保たれている。すなわち、折り畳み動作および展開動作のいずれの状態においても連結部材１０５が第１の表示部のＡ面１０１ａおよび第２の表示部のＡ面１０２ａの上を通過しない構成となっている。
【００４９】
本実施例では、ディスプレイ装置１００を連結部材１０５が各Ａ面１０１ａ、１０２ａ上を通過しない構成にすることで、ディスプレイ装置としての視認性を向上できる。
【００５０】
以上説明したように、複数の状態に折り畳み可能でありながら視認性を向上できるディスプレイ装置を提供することができる。
【００５１】
本実施例は本発明を限定するものではなく、請求項の範囲で以下のような各種の変更を加えてもよい。
【００５２】
図６のディスプレイ装置の３面図に示すように、展開状態において第１の表示部１１１と第２の表示部１１２、第１のパネル１１３と第２のパネル１１４それぞれが長辺方向ではなく、短辺方向に並んで配置されてもよい。このとき、溝部１１３ｃ、１１４ｃはそれぞれパネル１１３、１１４の短辺方向と平行な直線溝形状であって、Ｃ面１１３ａ、１１４ａ、Ｄ面１１３ｂ、１１４ｂ、パネル１１３、１１４の短辺側側面を通る連続した一連の溝部である。
【００５３】
図７の撮像装置の３面図で示すように、本発明のディスプレイ装置１００の第２のパネル１０２の第１のパネル１０１が連結されている面とは反対の側面にカメラユニット１２０ａを固定した撮像装置１２０でもよい。ディスプレイ装置１００において各表示部、パネルを長辺方向に並べ、連続表示面のアスペクト比が大きい場合にはパノラマ撮影に適した表示が可能であり、各表示部、パネルを短辺方向に並べ、連続表示面のアスペクト比が小さい場合には、では写真画像として一般的な縦横比である４：３および３：２の画像を拡大して表示可能である。
【００５４】
図８のディスプレイ装置の３面図で示すように、本発明のディスプレイ装置の第２の表示部１０２および第２のパネル１０４の側面のうち、第１の表示部１０１および第１のパネル１０３とは反対側の側面に、第３の表示部１３６、パネル１３７を設け、連結部材１３５で連結したディスプレイ装置１３０でもよい。なお、図８は説明をわかりやすくするため、便宜上表示部とパネルが離間して図示されているが、実際は密着して配設されている。
【００５５】
このとき、連結部材１３５は両端が接続された閉ループ状の１つの部材であって、２個の交差点で交差することで、第１のループ部１３５ａ、第２のループ部１５ｂ、第３のループ部１３５ｃの３つのループ部を形成する。２個の交差点はそれぞれ第１および第２のパネルの間の空間と第２のパネルと第３のパネルの間の空間に存在する。
【００５６】
また、連結部材１３５は、まず３つのパネルがそれぞれ略同一平面上に位置し、第１の表示部１０１を配設する第１のパネル１０３と第２の表示部１０２を配設する第２のパネル１０４とが隣り合う展開状態において、第１の表示部のＢ面１０１ｂと第１のパネルのＣ面１０３ａの間（図中領域１−１）から第１および第２のパネル１０３、１０４の間（図中領域２−１）、第２のパネルのＤ面１０４ｂ上（図中領域３−２）の順に通り、第２の表示部のＢ面１０２ｂと第２のパネルのＣ面１０４ａの間（図中領域１−１）から第１および第２のパネル１０３、１０４の間（図中領域２−１）、第１のパネルのＤ面１０３ｂ上（図中領域３−１）、の順に通るように構成されている。
【００５７】
さらに、第２の表示部１０２を配設する第２のパネル１０４と第３の表示部１３６を配設する第３のパネル１３７とが隣り合う展開状態において、第２の表示部のＢ面１０２ｂと第２のパネルのＣ面１０４ａの間（図中領域１−１）から第２および第３のパネル１０４、１３７の間（図中領域２−１）、第３のパネルのＤ面１３７ｂ上（図中領域３−２）の順に通り、第３の表示部のＢ面１３６ｂと第３のパネルのＣ面１３７ａの間（図中領域１−１）から第２および第３のパネル１０４、１３７の間（図中領域２−１）、第２のパネルのＤ面１０４ｂ上（図中領域３−１）、の順に通るように構成されている。
【００５８】
すなわち、連結部材１３５によって形成される８の字状のループ部のうち、第１のループ部１３５ａによってパネル１０３が、第２のループ部１３５ｂによってパネル１０４が、第３のループ部１３５ｃによってパネル１３７が囲まれるように連結部材１３５が配置される。また、各表示部１０１、１０２、１３６はいずれも連結部材１３５によって形成される第１から第３のループ部ａ３５ａ、１３５ｂ、１３５ｃのいずれにも囲まれない。同様に第４の表示部およびパネル、第５の表示部およびパネルと数を４以上に増やしてもよい。
【００５９】
また、本実施例ではパネルは表示制御回路、電池、補強板等を含んでいる例を示したが、これらのうちいずれか一つを含んだ構成でも構わない。また、本実施例では連結部材が線状の例を示したが、連結部材は板状・帯状でも構わない。
【００６０】
［実施例２］
図９〜図１１は本発明の第２の実施例におけるディスプレイ装置２００について説明する図である。図９はディスプレイ装置２００の分解斜視図および分解下面図であり、図９（ａ）、（ｂ）はそれぞれディスプレイ装置２００の分解斜視図、分解下面図を示す。図１０は展開状態のディスプレイ装置２００の３面図であり、図１０（ａ）、（ｂ）、（ｃ）はそれぞれディスプレイ装置２００の正面図、Ａ−Ａ断面図、背面図である。図11は展開状態、両面状態、収納状態の各状態のディスプレイ装置２００を示す断面図であり、図１１（ａ）、（ｂ）、（ｃ）はそれぞれ展開状態、両面状態、収納状態の断面図である。なお、図９は説明をわかりやすくするため、便宜上表示部とパネルが離間して図示されているが、実際は密着して配設されている。
【００６１】
２０１は平板状で略四辺形の第１の表示部である。第１の表示部２０１の一方の面は、液晶または有機ＥＬからなり、後述の第１のパネル２０３に含まれる表示制御回路によって各種の情報を表示可能である略四辺形の表示部が設けられた第１の表示面（Ａ面）２０１ａである。第１の表示面のＡ面２０１ａの裏面は、後述の第１のパネル２０３と対向する第１の対向面（Ｂ面）２０１ｂである。
【００６２】
２０３は平板状で略四辺形の第１のパネルである。第１のパネルは第１の表示部を配設する部材であり、前記表示部の表示制御回路、電池、補強板等を含んでいる。第１のパネルの一方の面は、第１の表示部２０１と対向する対向面（Ｃ面）２０３ａである。第１のパネルのＣ面２０３ａの裏面は、第１の表示部と対向しない非対向面（Ｄ面）２０３ｂである。
【００６３】
以上は本実施例と第１の実施例とで同様な共通点である。以下、第１の実施例に対して異なる部分を説明する。
【００６４】
本実施例の第１の実施例との相違点は以下の２点である。１点目は、連結部材が両端の接続されていない非ループ状の２つの部材であり、２つの連結部材２０５ａ、２０５ｂによってパネル２０３、２０４が連結されている点である。２点目は、連結部材２０５ａ、２０５ｂそれぞれの両端がパネル２０３、２０４のうちいずれかの上に固定されている点である。以下、上記の相違点について説明する。
【００６５】
２つの連結部材２０５ａ、２０５ｂのうち連結部材２０５ａは、第２の表示部のＢ面２０２ｂと第２のパネルのＣ面２０４ａの間（図中領域１−２）から第１および第２のパネル２０３、２０４の間（図中領域２）、第１のパネルのＤ面２０３ｂ上（図中領域３−１）、の順に通るように構成されている。
【００６６】
連結部材２０５ｂは、第１の表示部のＢ面２０１ｂと第１のパネルのＣ面２０３ａの間（図中領域１−１）から第１および第２のパネル２０３、２０４の間（図中領域２）、第２のパネルのＤ面２０４ｂ上（図中領域３−２）、の順に通るように構成されている。連結部材のうち、第１の連結部材と第２の連結部材は交差しており、第１および第２それぞれの連結部材の一端は第１のパネル上に固定され、第１および第２それぞれの連結部材のもう一端は第２のパネル上に固定される。
【００６７】
すなわち、連結部材２０５ａの一端は第２のパネルのＣ面２０４ａ上の固定部２０４ｄに固定され、もう一端は第１のパネルのＤ面２０３ｂ上の固定部２０３ｄに固定される。また、連結部材２０５ｂの一端は第１のパネルのＣ面２０３ａ上の固定部２０３ｄに固定され、もう一端は第２のパネルのＤ面２０４ｂ上の固定部２０４ｄに固定される。連結部材２０５ａ、２０５ｂの固定については、接着、熱カシメ、圧着、フック部への引っかけなど手段は限定されない。また、固定せず張力を調節可能な機構によって支持されていてもよい。
【００６８】
本実施例では、連結部材２０５ａ、２０５ｂの両端が固定されているため、第１の実施例の閉ループ状の連結部材と比較して、連結部材２０５ａ、２０５ｂが案内される溝部２０３ｃ、２０４ｃから脱落して故障しにくい。固定部２０３ｄ、２０４ｄを移動し、溝部２０３ｃ、２０４ｃの長さを変更することによって張力を調整することができる。第１の実施例と比較して溝部を形成する範囲を小さくできるため低コストである。
【００６９】
本実施例では、連結部材をパネルのＣ面に固定した例を示したが、表示部のＢ面に固定しても構わない。
【００７０】
本実施例においても、第１の実施例と同様に、連結部材２０５ａ、２０５ｂが各表示面２０１ａ、２０２ａ上を通過しない構成で折り畳みおよび展開動作が可能である。このため、複数の状態に折り畳み可能でありながら視認性を向上できるディスプレイ装置を提供することができる。
【００７１】
［実施例３］
図１２〜図１６は本発明の第３の実施例におけるディスプレイ装置３００について説明する図である。図１２は、展開状態Ａのディスプレイ装置３００の３面図であり、図１２（ａ）、（ｂ）、（ｃ）はそれぞれディスプレイ装置３００の正面図、下面図、背面図である。展開状態Ａとは、第１の表示部３０１と第２の表示部３０２、第１のパネル３０３と第２のパネル３０４のそれぞれが長辺方向に並び、略同一平面上に配置された状態である。すなわち、略同一平面上で辺２に対して鏡面対称に配置され第１の表示部を配設するパネルと第２の表示部を配設するパネルがそれぞれ隣り合う状態である。
【００７２】
３０１は平板状で略四辺形の第１の表示部である。第１の表示部３０１の一方の面は、液晶または有機ＥＬからなり、後述の第１のパネル３０３に含まれる表示制御回路によって各種の情報を表示可能である略四辺形の表示部が設けられた第１の表示面（Ａ面）３０１ａである。第１の表示面のＡ面３０１ａの裏面は、後述の第１のパネル３０３と対向する第１の対向面（Ｂ面）３０１ｂである。
【００７３】
３０３は平板状で略四辺形の第１のパネルである。第１のパネルは第１の表示部を配設する部材であり、前記表示部の表示制御回路、電池、補強板等を含んでいる。第１のパネルの一方の面は、第１の表示部３０１と対向する対向面（Ｃ面）３０３ａである。第１のパネルのＣ面３０３ａの裏面は、第１の表示部と対向しない非対向面（Ｄ面）３０３ｂである。
【００７４】
以上は本実施例と第１の実施例とで同様な共通点である。以下、第１の実施例に対して異なる部分を説明する。
【００７５】
第１の実施例と異なるのは第１のパネル３０３と第２のパネル３０４とが、２つの連結部材３０５、３０６によって連結されている点である。図１３を用いてパネル３０３、３０４と連結部材３０５、３０６の構成を説明する。
【００７６】
図１３はパネル３０３、３０４と連結部材３０５、３０６の構成を示す４面図である。
【００７７】
第１のパネル３０３のＣ面３０３ａ上の外形には隣り合って互いに直交する辺１と辺２が設けられている。パネル３０３の辺１側の側面には、対向面Ｂ３０３ａから対向面３０３ｂまで延出する２本の平行な直線溝形状の溝部が形成されており、それぞれ辺２から近い方から溝部３０３ｃ１、３０３ｃ２である。同様にパネル３０３の辺２側の側面には、対向面Ｂ３０３ａから対向面３０３ｂまで延出する２本の平行な直線溝形状の溝部が形成されており、それぞれ辺１から近い方から溝部３０３ｄ１、３０３ｄ２である。
【００７８】
第１のパネル３０３の対向面Ｂ３０３ａには、辺１の反対側に辺１と平行な辺３が設けられ、辺２の反対側には辺２と平行な辺４が設けられている。Ｄ面３０３ｂの辺１側の辺は辺１´、辺２側の辺は辺２´、辺３側の辺は辺３´、辺４側の辺は辺４´とする。辺３の側面には、第１のパネル３０３の中心を基準として溝部３０３ｃ１、３０３ｃ２に対して点対称形状の溝部３０３ｅ１と３０３ｅ２が形成されている。辺４の側面には、第１のパネル３０３の中心を基準として溝部３０３ｄ１、３０３ｄ２に対して点対称形状の溝部３０３ｆ１と３０３ｆ２が形成されている。
【００７９】
第２のパネル３０４は、辺２に対して第１のパネル３０３とは反対側に配置されている。第２のパネル３０４にも第１のパネルと同様に辺１〜辺４および辺１´〜辺４´が設けられており、図中辺２を通り辺１に直交する平面に対して鏡面対称の関係となっている。
【００８０】
第１のパネル３０３と同様に第２のパネル３０４には溝部３０４ｃ１、３０４ｃ２、溝部３０４ｄ１、３０４ｄ２、溝部３０４ｅ１、３０４ｅ２、溝部３０４ｆ１、３０４ｆ２が形成されている。上記の溝部の形状および配置は第１のパネル３０３に形成された対応する部分に対して図中辺２を通り辺１に直交する平面に対して鏡面対称の関係となっている。すなわち、溝部３０３ｃ１と３０４ｃ１、溝部３０３ｃ２と３０４ｃ２、溝部３０３ｄ１と３０４ｄ１、溝部３０３ｄ２と３０４ｄ２、溝部３０３ｅ１と溝部３０４ｅ１、溝部３０３ｅ２と３０４ｅ２、溝部３０３ｆ１と溝部３０４ｆ１、溝部３０３ｆ２と３０４ｆ２は図中辺２を通り辺１に直交する平面に対して鏡面対称である。
【００８１】
第１の連結部材３０５および第２の連結部材３０６はそれぞれ両端が接続された閉ループ状である。第１の連結部材３０５および第２の連結部材３０６はそれぞれ第１のパネルにおいて辺１、第１のパネルのＤ面３０３ｂ、辺２の順に通るように構成され、かつ第２のパネルにおいて辺１、第２のパネルのＤ面３０４ｂ、辺２の順に通るように構成される。ここまで連結部材３０５、３０６の経路を辺１と辺２について述べたが、辺３と辺４も同様であり、辺３は辺１に、辺４は辺２にそれぞれ対応する。
【００８２】
第１の連結部材３０５および第２の連結部材の通る経路を以下に詳細に説明する。第１の連結部材３０５は以下の経路で第１のパネル３０３および第２のパネル３０４に巻回されている。すなわち、溝部３０３ｃ１〜第１のパネル３０３のＤ面３０３ｂ〜溝部３０３ｄ１〜溝部３０４ｄ１〜第２のパネル３０４の対向面Ｂ３０４ａ〜溝部３０４ｅ１〜第２のパネル３０４のＤ面３０４ｂ〜溝部３０４ｆ１〜第２のパネル３０４の対向面Ｂ３０４ａ〜溝部３０４ｃ１〜第２のパネル３０４のＤ面３０４ｂ〜溝部３０４ｄ１〜溝部３０３ｄ１〜第１のパネル３０３の対向面Ｂ３０３ａ〜溝部３０３ｅ１〜第１のパネル３０３のＤ面３０３ｂ〜溝部３０３ｆ１〜第１のパネル３０３の対向面Ｂ３０３ａ〜溝部３０３ｃ１である。
【００８３】
同様に第２の連結部材３０６は以下の経路第１のパネル３０３および第２のパネル３０４に巻回されている。すなわち、溝部３０４ｃ２〜第２のパネル３０４のＤ面３０４ｂ〜溝部３０４ｄ２〜溝部３０３ｄ２〜第１のパネル３０３の対向面Ｂ３０３ａ〜溝部３０３ｅ２〜第１のパネル３０３のＤ面３０３ｂ〜溝部３０３ｆ２〜第１のパネル３０３の対向面Ｂ３０３ａ〜溝部３０３ｃ２〜第１のパネル３０３のＤ面３０３ｂ〜溝部３０３ｄ２〜溝部３０４ｄ２〜第２のパネル３０４の対向面Ｂ３０４ａ〜溝部３０４ｅ２〜第２のパネル３０４のＤ面３０４ｂ〜溝部３０４ｆ２〜第２のパネル３０４の対向面Ｂ３０４ａ〜溝部３０４ｃ２である。
【００８４】
第１の連結部材３０５、３０４は、それぞれ線方向の張力が発生するように巻回されているので、各溝部に案内されながら、長さが最短となるような経路を通る。なお、各パネル３０３、３０４の対向面Ｂ３０３ａ、３０３ｂ、Ｄ面３０３ｂ、３０４ｂそれぞれの面上には連結部材を案内するための溝部が形成されているが、簡単化のため図中では省略する。
【００８５】
図１４は展開状態Ａのディスプレイ装置３００の分解下面図の辺２近傍を拡大した図である。
第１の連結部材３０５は、第１の表示部のＢ面３０１ｂと第１のパネルのＣ面３０３ａの間（図中領域１−１）から第１および第２のパネル３０３、３０４の間（図中領域２）、第２のパネルのＤ面３０４ｂの上（図中領域３−２）、の順に通る部分と、第２の表示部のＢ面３０２ｂと第２のパネルのＣ面３０４ａの間（図中領域１−２）から第１および第２のパネル３０３、３０４の間（図中領域２）、第１のパネルのＤ面３０３ｂの上（図中領域３−１）、の順に通る部分とを有する。
【００８６】
ここまで第１の連結部材３０５について説明したが、第２の連結部材３０６に関しても同様である。なお、図14は説明をわかりやすくするため、便宜上表示部とパネルが離間して図示されているが、実際は密着して配設されている。
【００８７】
ディスプレイ装置３００の折り畳み動作および展開動作について説明する。
図１５はディスプレイ装置３００の展開状態Ａから両面状態にする際のディスプレイ装置３００の折り畳み動作を示す辺１側の側面から見た辺２周辺の下面拡大図である。
以下の説明では、特に第１の連結部材３０５の挙動について説明するが、第２の連結部材３０６の挙動についても同様である。なお、説明のため連結部材３０５を異なる濃淡で図示しているが、実際には同一の部材である。
【００８８】
図１５（ａ）はディスプレイ装置３００の展開状態Ａを示す図である。連結部材と溝部の状態は図13を用いて既に説明したとおりである。
図１５（ｂ）は、ディスプレイ装置３００の展開状態Ａから辺２を軸に第１のパネル３０３を図15中矢印Ｄ方向に４５度だけ回転させた状態を示す図である。第１の連結部材３０５は、図１５（ａ）と同様の箇所に支持案内される。連結部材３０５は、第２のパネル３０４の辺２側の側面と第１のパネル３０３の辺２側の側面によって形成される空間の中で交差する。
【００８９】
図１５（ｃ）はディスプレイ装置３００の展開状態Ａから辺２を軸に第１のパネル３０３を図中矢印Ｄ方向に９０度だけ回転させた状態を示す図である。図１５（ｃ）に対し、第１の連結部材３０５を支持する箇所が移動する。連結部材３０５は、第１のパネル３０３の溝部３０３ｄ１の対向面Ｂ３０３ｂ側の端と第２のパネル３０４の溝部３０４ｃ１のＤ面側の端に支持される。連結部材３０５は、第２のパネル３０４の溝部３０４ｄ１の対向面Ｂ３０４ａ側の端と第１のパネル３０３の溝部３０３ｃ１のＤ面３０３ｂ側の端に支持される。連結部材３０５は、溝部３０４ｄ１の対向面Ｂ３０４ａ側の端と溝部３０３ｄ１の対向面Ｂ３０３ａ側の端と溝部３０４ｃ１のＤ面３０３ｂ側の端と溝部３０３ｃ１のＤ面３０４ｂ側の端の４点によって形成される空間の中で交差する。
【００９０】
図１５（ｄ）はディスプレイ装置３００の展開状態Ａから辺２を軸に第１のパネル３０３を図中矢印Ｄ方向に１３５度だけ回転させた状態を示す図である。図１５（ｃ）に対し、第１の連結部材３０５を支持する箇所が移動する。連結部材３０５は、第１のパネル３０３の溝部３０３ｄ１のＤ面３０３ｂ側の端と第２のパネル３０４の溝部３０４ｃ１のＤ面３０４ｂ側の端に支持される。連結部材３０５は、第２のパネル３０４の溝部３０４ｄ１のＤ面３０４ｂ側の端と第１のパネル３０３の溝部３０３ｃ１のＤ面３０３ｂ側の端に支持される。連結部材３０５は、第２のパネル３０４のＤ面３０４ｂと第１のパネル３０３のＤ面３０３ｂによって形成される空間の中で交差する。
【００９１】
図１５（ｅ）はディスプレイ装置３００の展開状態Ａから辺２を軸に第１のパネル３０３を図中矢印Ｄ方向に１８０度だけ回転させた状態を示す図であり、両面状態と同一の状態である。第１のパネル３０３のＤ面３０３ｂ上の溝部と第２のパネル３０４のＤ面３０４ｂ上の溝部は展開状態Ａにおいて辺２を通り辺１に直交する平面に対して鏡面対称であるため、両面状態においてはＤ面３０３ｂ上の溝部とＤ面３０４ｂ上の溝部はＤ面３０３ｂ、３０４ｂ上で一致する。第１の連結部材３０５は、図１５（ｄ）と同様の箇所に支持案内される。連結部材３０５は、Ｄ面３０３ｂ上の溝部とＤ面３０４ｂ上の溝部によって形成される空間の中で交差する。
【００９２】
以上、展開状態Ａから両面状態にする際のディスプレイ装置３００の折り畳み動作について説明した。各溝が鏡面対称であるため、連結部材を支持する箇所が移動しても連結部材が溝から脱落することなく折り畳み動作が可能となる。第２の連結部材３０６の挙動についても上記に説明した第１の連結部材３０５の挙動と同様であり、この場合は溝部３０３ｃ１と溝部３０３ｃ２、溝部３０３ｄ１と溝部３０３ｄ２、溝部３０４ｃ１と溝部３０４ｃ２、溝部３０４ｄ１と溝部３０４ｄ２とがそれぞれ対応する。両面状態から展開状態Ａにする際の展開動作は、上記折り畳み動作を逆順に行うことで可能となる。
【００９３】
図１６は本実施例において折り畳みおよび展開動作によって可能な状態のディスプレイ装置３００を示す正面図である。図１６（ａ）、（ｂ）、（ｃ）はそれぞれ展開状態Ａ、両面状態、展開状態Ｂである。展開状態Ｂとは、第１の表示部３０１と第２の表示部３０２、第１のパネル３０３と第２のパネル３０４のそれぞれが短辺方向に並び、略同一平面上に配置された状態である。
【００９４】
図１６（ａ）に示す展開状態Ａから、第１のパネル３０３を辺２が軸となるようにＦ方向に１８０度回転させることによって図１６（ｂ）に示す両面状態となる。図１６（ｂ）に示す両面状態から、第１のパネル３０３を辺１が軸となるようにＦ方向に１８０度回転させることによって図１６（ｃ）に示す展開状態Ｂとなる。図１６（ａ）に示す展開状態Ａから、第１のパネル３０３を辺２が軸となるようにＥ方向に１８０度回転させることによって図１６（ｄ）に示す収納状態となる。
【００９５】
折り畳みおよび展開動作によって展開状態、両面状態、収納状態を自由に行き来することができる点は第１の実施例と同様である。本実施例が第１の実施例と異なる点は、２つのＡ面３０１ａと３０２ａが長辺方向に並んだ展開状態Ａと、短辺方向に並んだ展開状態Ｂという異なる方向に２つのＡ面が並んだ展開状態にすることが可能な点である。本実施例においても、第１の実施例と同様に各表示面（Ａ面）に独立した２つの画像を表示することも、２つの表示面を連続した同一の表示面（連続表示面）として１つの画像を表示することも可能である。連続表示面とした場合には、両面状態と比較して表示サイズが大きいため情報および画像を拡大して表示することができる。
【００９６】
本実施例では、異なる方向に２つの表示面が並んだ展開状態にすることが可能であるため、展開状態Ａと展開状態Ｂで異なるアスペクト比の連続表示面として使用することができる。展開状態Ａはアスペクト比が大きい連続表示面として使用することができ、パノラマ画像等に適した表示が可能である。展開状態Ｂはアスペクト比が小さい表示面として使用することができ、写真画像として一般的な縦横比である４：３および３：２の画像を拡大して表示可能である。このように、折り畳みおよび展開動作によって表示形態を変えることによって、ディスプレイ装置３００の仕様者の様々な使用目的に対応することができる。
【００９７】
本実施例においても、第１の実施例と同様に、連結部材３０５、３０６が各Ａ面３０１ａ、３０２ａ上を通過しない構成で折り畳みおよび展開動作が可能であり、視認性を阻害しない。このため、複数の状態に折り畳み可能でありながら視認性を向上できるディスプレイ装置を提供することができる。
【符号の説明】
【００９８】
１０１  第１の表示部、１０１ａ  第１の表示部のＡ面、
１０１ｂ  第１の表示部のＢ面、１０２  第２の表示部、
１０２ａ  第１の表示部のＡ面、１０２ｂ  第１の表示部のＢ面、
１０３  第１のパネル、１０３ａ  第１のパネルのＣ面、
１０３ｂ  第１のパネルのＤ面、１０３ｃ  第１のパネルの案内部、
１０４  第２のパネル、１０４ａ  第２のパネルのＣ面、
１０４ｂ  第２のパネルのＤ面、１０４ｃ  第２のパネルの案内部、１０５  連結部材
【図１】
2017156368.tif 000003
【図２】
2017156368.tif 000004
【図３】
2017156368.tif 000005
【図４】
2017156368.tif 000006
【図５】
2017156368.tif 000007
【図６】
2017156368.tif 000008
【図７】
2017156368.tif 000009
【図８】
2017156368.tif 000010
【図９】
2017156368.tif 000011
【図１０】
2017156368.tif 000012
【図１１】
2017156368.tif 000013
【図１２】
2017156368.tif 000014
【図１３】
2017156368.tif 000015
【図１４】
2017156368.tif 000016
【図１５】
2017156368.tif 000017
【図１６】
2017156368.tif 000018